(57)【特許請求の範囲】
【請求項１】
山状部分と谷状部分とが交互に連続する既設屋根を構成する傾斜面部に採光部を設ける採光構造の施工方法であって、
前記採光部は、透光材と、該透光材の各辺毎にその周縁を押さえる押さえ部及び傾斜面部又は山状部分の頂部又は谷状部分の底部に固定する固定部を備える別々の下フレーム、側フレーム、上フレームと、からなる採光体にて形成され、
既設屋根の傾斜面部に前記透光材よりも小さい矩形状の開口部を形成する第１の工程の後、
開口部を覆うように前記透光材を配設すると共に、各フレーム材の押さえ部と前記透光材との間には止水材を介在させる第２の工程と、を行うことを特徴とする採光構造の施工方法。
【請求項２】
第２の工程は、開口部を塞ぐように透光材を配した後、その下辺に下フレームを配して固定し、該下フレームの左右端縁に重合させると共に前記開口部の左辺及び右辺に側フレームを配して固定し、該側フレームの上端縁に重合させると共に前記開口部の上辺に上フレームを配して固定することにより開口部を覆うことを特徴とする請求項１に記載の採光構造の施工方法。
【請求項３】
開口部は、山状部分の底部と谷状部分の頂部とを繋ぐ傾斜面部のみに形成されていることを特徴とする請求項１又は２に記載の採光構造の施工方法。
【請求項４】
請求項１〜３の何れか一項に記載の施工方法により施工される採光構造であって、
採光部は、透光材と、該透光材の各辺毎にその周縁全てを押さえる押さえ部及び傾斜面部又は山状部分の頂部又は谷状部分の底部に固定する固定部を備える別々の下フレーム、側フレーム、上フレームと、からなる採光体にて形成され、
既設屋根の傾斜面部に前記透光材よりも小さい矩形状の開口部が形成され、開口部を覆うように前記透光材が配設されていると共に、各フレーム材の押さえ部と前記透光材との間には止水材が介在して取り付けられていることを特徴とする採光構造。
【発明の詳細な説明】
【技術分野】
【０００１】
本発明は、採光構造を既設屋根に対して容易に適用でき、室内の採光性を向上することができる採光構造の施工方法、及び採光構造に関する。
【背景技術】
【０００２】
近年、温暖化防止及び節電等の目的で、室内の採光性を向上し、室内照明や暖房の軽減などに利用する試みがなされている。従来の採光部を備える屋根構造としては、一般的に金属板材にて形成される折板屋根板に対し、谷部、即ち略平坦状の底面部とその左右に位置する傾斜面部とからなる略Ｕ字状部分を透光性合成樹脂板にて形成し、ハゼ締め部等を金属板材にて形成してこれらを一体化させた屋根板を用いる方法（例えば特許文献１参照）が知られている。
また、露結水の落下を防止する目的で山部と谷部とを有する透光性の折板を所定間隔を隔てて上下に配して採光部とする方法（例えば特許文献２参照）も提案されている。
さらに、山部と谷部とを有する折板屋根の山部頂部に配設する嵌合カバー材に代えて枠体に透光板を組み付けた採光用枠体を取り付ける方法（例えば特許文献３参照）も提案されている。
【先行技術文献】
【特許文献】
【０００３】
【特許文献１】特開平１１−９３３３５号公報
【特許文献２】特開２００１−４９８０７公報
【特許文献３】特開２００４−１３７８２４公報
【発明の概要】
【発明が解決しようとする課題】
【０００４】
しかしながら、前記特許文献１の方法は、屋根板の一部を透光性合成樹脂板にて形成するものであって、金属板材と透光性合成樹脂板とを一体化させた透光性屋根板を敷設する方法であるから、新たな屋根施工に限定されるものであり、既設屋根に適用されるものではなかった。また、前記特許文献２の方法も、前記特許文献３も、基本的に新設屋根用として開発されたものであって、仮に既設屋根に適用する場合には、所定の寸法の屋根形状或いは嵌合カバー材（幅間隔）でなければ対応することができないものであった。
【０００５】
そこで、本発明は、採光構造を既設屋根に対して容易に適用でき、室内の採光性を向上することができる採光構造の施工方法、及び採光構造を提案することを目的とする。
【課題を解決するための手段】
【０００６】
本発明は、上記に鑑み提案されたものであって、山状部分と谷状部分とが交互に連続する既設屋根を構成する傾斜面部に採光部を設ける採光構造の施工方法であって、前記採光部は、透光材と、該透光材の各辺毎にその周縁を押さえる押さえ部及び傾斜面部又は山状部分の頂部又は谷状部分の底部に固定する固定部を備える別々の下フレーム、側フレーム、上フレームと、からなる採光体にて形成され、既設屋根の傾斜面部に前記透光材よりも小さい矩形状の開口部を形成する第１の工程の後、開口部を覆うように採光体を配設すると共に、各フレーム材の押さえ部と採光材との間には止水材を介在させる第２の工程と、を行うことを特徴とする採光構造の施工方法に関するものである。
【０００７】
また、本発明は、前記施工方法において、第２の工程は、開口部を塞ぐように透光材を配した後、その下辺に下フレームを配して固定し、該下フレームの左右端縁に重合させると共に前記開口部の左辺及び右辺に側フレームを配して固定し、該側フレームの上端縁に重合させると共に前記開口部の上辺に上フレームを配して固定することにより開口部を覆うことを特徴とする採光構造の施工方法をも提案する。
【０００８】
また、本発明は、前記施工方法において、開口部は、底部と頂部を繋ぐ傾斜面部のみに形成されていることを特徴とする採光構造の施工方法をも提案する。
【０００９】
さらに、本発明は、前記施工方法により施工される採光構造であって、採光部は、透光材と、該透光材の各辺毎にその周縁全てを押さえる押さえ部及び傾斜面部又は山状部分の頂部又は谷状部分の底部に固定する固定部を備える別々の下フレーム、側フレーム、上フレームと、からなる採光体にて形成され、既設屋根の傾斜面部に前記透光材よりも小さい矩形状の開口部が形成され、開口部を覆うように前記透光材が配設されていると共に、各フレーム材の押さえ部と前記透光材との間には止水材が介在して取り付けられていることを特徴とする採光構造をも提案するものである。
【発明の効果】
【００１０】
本発明の採光構造の施工方法は、既設の折板屋根の傾斜面部に開口部を形成する第１の工程も、開口部を覆うように透光材を配設すると共に、各フレーム材の押さえ部と前記透光材との間には止水材を介在させる第２の工程も、平坦状の一面に対するものであるため、極めて容易に実施でき、ビス止め部分や接合部分からの浸水を防止するので、実用的価値が極めて高いものである。
また、採光部が、透光材と、その周縁を押さえる押さえ部及び傾斜面部又は山状部分の頂部又は谷状部分の底部に固定する固定部を備える別々の下フレーム、側フレーム、上フレームと、からなる採光体にて形成されるので、前記第２工程は、透光材を開口部へ配設した後にフレーム材を取り付けるものとすればよく、ビス孔を形成することができない性質の透光材でも、フレーム材と開口部縁部との間に挟み込んで固定することができる。さらに、フレーム材として、金属板材等を用いることにより、補強作用が果たされるものとなる。
そして、施工された本発明の採光構造では、既設屋根に対して容易に適用でき、室内の採光性を向上することができ、室内照明や冬季の暖房を軽減することができる。
【００１１】
また、開口部が、底部と頂部とを繋ぐ傾斜面部のみに形成されている場合には、折板屋根の強度に寄与する底部と傾斜面部との繋ぎ（折曲部分）や傾斜面部と頂部との繋ぎ（折曲部分）が損なわれないので、折板屋根の強度特性を殆ど低下させることがなく、前述の効果が有効に発揮されるものとなる。
【００１２】
また、採光体が、透光材と、その周縁を押さえる押さえ部及び傾斜面部又は山状部分の頂部又は谷状部分の底部に固定する固定部を備えるフレーム材と、からなる場合、前記第２工程は、予め一体化した採光体を開口部へ取り付けるか、或いは透光材を開口部へ配設した後にフレーム材を取り付けるものとすればよく、ビス孔を形成することができない性質の透光材でも、フレーム材と開口部縁部との間に挟み込んで固定することができる。さらに、フレーム材として、金属板材等を用いることにより、補強作用が果たされるものとなる。
【図面の簡単な説明】
【００１３】
【図１】（ａ）本発明の採光構造の施工方法の一実施例（第１実施例）における第１の工程を終えた状態を示す斜視図、（ｂ）第２の工程を終えた状態の採光構造を示す斜視図である。
【図２】（ａ）第１実施例にて構築された採光構造を示す断面図、（ｂ）第１の工程を終えた状態を示す正面図、（ｃ）採光部の下方縁部を示す拡大断面図である。
【発明を実施するための形態】
【００１４】
本発明の採光構造の施工方法は、山状部分と谷状部分とが交互に連続する既設屋根を構成する傾斜面部に採光部を設ける方法であって、既設屋根の傾斜面部に透光材よりも小さい開口部を形成する第１の工程の後、開口部を覆うように透光材を配設すると共に、各フレーム材の押さえ部と前記透光材との間には止水材を介在させる第２の工程と、を実施することを特徴とする。
【００１５】
本発明における採光構造の取付対象は、山状部分と谷状部分とが交互に連続する既設屋根であって、傾斜面部のみにて構成される屋根でも、山状部分の頂部と谷状部分の底部とを傾斜面部が繋ぐ（連絡する）構成の屋根でもよく、このような既設屋根を構成する傾斜面部に開口部を設ける。
この開口部の形状は特に限定するものではなく、後述する図示実施例のように必ずしも矩形状でなくてもよい。
【００１６】
本発明における採光体は、透光材と、その周縁を押さえる押さえ部及び傾斜面部又は山状部分の頂部又は谷状部分の底部に固定する固定部を備えるフレーム材と、からなる。
透光材の特性（性質）に前述のような制限はなく、フレーム材と開口部縁部との間にその端縁を挟み込んで固定することができる。なお、フレーム材の固定部は、専ら傾斜面部に固定することが多いが、固定部のうち、上側の固定部のみを山状部分の頂部に固定してもよいし、下側の固定部のみを谷状部分の底部に固定してもよく、或いは上側の固定部を頂部に、下側の固定部を底部に、左右の固定部を傾斜面部に固定してもよい。
【００１７】
透光材としては、採光が可能な程度に透光性を有し、且つ雨水の浸入を防止できる程度に遮水性（非透水性）を有するものであれば、特にその素材や構成を限定するものではなく、ガラスや網入りガラス等のガラス類、或いは透明、乳白色等のポリカーボネート、アクリル等の透明な硬質樹脂成形体が用いられる。
前記採光体が透光材のみで構成される場合には、透光材として前述の透明な硬質樹脂成形体を用いればよく、前記採光体がフレーム材を含む場合には、透光材として制限がないので、前述のガラス類をも用いることができる。
【００１８】
また、フレーム材は、透光材の各辺毎に別々のフレーム材を配して押さえる。
このフレーム材は、前述のように前記透光材の周縁を押さえる押さえ部と折板屋根の傾斜面部に固定する固定部を備えるものであるが、このフレーム材が強度を補強する作用を果たすので、金属板材又は金属成形材にて形成されることが望ましい。
【００１９】
前記第１の工程では、既設屋根の傾斜面部に透光材よりも小さい開口部を形成する。
この既設屋根は前述のように傾斜面部のみにて構成されるものでも、山状部分の頂部と谷状部分の底部とを傾斜面部が繋ぐ（連絡する）構成でもよいが、開口部は、前者の屋根態様では一つの傾斜面部のみに、後者の屋根態様では傾斜面部のみに形成されていることが望ましい。前者の屋根態様では、二面の傾斜面部に跨る傾斜面部の上端（折曲部分）と下端（折曲部分）とが損なわれないので、折板屋根の強度特性を殆ど低下させることがない。後者の屋根態様では、底部と傾斜面部との繋ぎ（折曲部分）や傾斜面部と頂部との繋ぎ（折曲部分）が損なわれないので、折板屋根の強度特性を殆ど低下させることがない。
【００２０】
前記第２工程は、採光部が、透光材とフレーム材とからなるので透光材を開口部へ配設した後にフレーム材を取り付ければよい。
【実施例】
【００２１】
図１（ａ），（ｂ）に示す第１実施例の採光構造の施工方法は、山状部分１Ａと谷状部分１Ｂとが交互に連続する既設屋根１を構成する傾斜面部１１に採光部２を設ける方法であって、既設屋根の傾斜面部１１に採光体３よりも小さい開口部１１１を形成する第１の工程の後、開口部１１１を覆うように採光体３を配設して取り付ける第２の工程と、を実施する。
【００２２】
図示実施例の既設屋根１は、ハゼ締め式の折板屋根であって、山状部分１Ａの頂部１２と谷状部分１Ｂの底部１３とを傾斜面部１１が繋ぐ（連絡する）構成であり、山状部分１Ａの頂部１２の略中央に左右の屋根板の端縁をハゼ締めしたハゼ締め部１２１が突出状に形成されている。
本発明の第１の工程では、この既設屋根１の傾斜面部１１に、図１（ａ）及び図２（ｂ）に示すように横長矩形状の開口部１１１を形成する。
【００２３】
図示実施例の採光体２は、ポリカーボネイト製の透光材（透光板）３と、その周縁を押さえる押さえ部４１及び傾斜面部１１に固定する固定部４２を備えるフレーム材４と、からなる。
【００２４】
前記フレーム材４は、前記透光材３の四辺毎に別々のフレーム材４o，４s，４s，４uを配して押さえるものであり、本発明の第２の工程では、前記開口部１１１を覆うように透光材３を配した後、その下辺（下方縁部）にフレーム材４uを配してビス５にて固定し、その左辺及び右辺（側方縁部）にフレーム材４s，４sを配してビス５にて固定し、その上辺（上方縁部）にフレーム材４oを配してビス５にて固定するようにしてもよいし、予め透光材３の周縁に各フレーム材４o，４s，４s，４uを一体化した後、開口部１１１の開口縁部に取り付けてビス５にて固定するようにしてもよい。
【００２５】
なお、図示実施例では、図２（ｃ）に示すようにフレーム材４の押さえ部４１と採光材３との間、固定部４２と折板屋根（開口縁部）１との間、並びに採光材３と折板屋根（開口縁部）１との間に止水材６を介在させてビス止め部分や接合部分からの浸水を防止している。
【００２６】
このように本発明の採光構造の施工方法は、既設の折板屋根１の傾斜面部１１に開口部１１１を形成する第１の工程も、開口部１１１を覆うように採光体２を配設して取り付ける第２の工程も、平坦状の一面に対するものであるため、極めて容易に実施できるので、実用的価値が極めて高いものである。
そして、施工された本発明の採光構造では、既設屋根１に対して容易に適用でき、室内の採光性を向上することができ、室内照明や冬季の暖房を軽減することができる。
【００２７】
また、開口部１１が、谷状部分１Ｂの底部１３と山状部分１Ａの頂部１２とを繋ぐ傾斜面部１１のみに形成されているので、折板屋根１の強度に寄与する底部１３と傾斜面部１１との繋ぎ（折曲部分）や傾斜面部１１と頂部１２との繋ぎ（折曲部分）が損なわれないので、折板屋根１の強度特性を殆ど低下させることがなく、前述の効果が有効に発揮されるものとなる。
さらに、採光体２が、透光材３と、その周縁を押さえる押さえ部４１及び傾斜面部１１に固定する固定部４２を備えるフレーム材４と、からなるので、フレーム材４が補強作用を果たし、前述の折板屋根１の強度特性を低下させない効果に寄与するものとなる。
【符号の説明】
【００２８】
１  既設屋根
１Ａ  山状部分
１Ｂ  谷状部分
１１  傾斜面部
１１１  開口部
１２  頂部
１３  底部
２  採光部、採光体
３  採光材（透光材）
４  フレーム材
４o  下フレーム
４s  側フレーム
４u  上フレーム
４１  押さえ部
４２  固定部
５  ビス
６  止水材
【図１】
0006001739.tif 000002
【図２】
0006001739.tif 000003